【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
画像整列データを提供するためのシステムであって、
コンピュータプロセッサを備え、前記コンピュータプロセッサは、
画像を、記録されるオブジェクトに対する前記画像の第１の位置に表示し、
前記画像の第１の場所に位置決めされた第１の縁部、ユーザシフト可能である第２の縁部、および前記第１の縁部と前記第２の縁部との間に延在するシャフトを含む画像位置決めコントロールを表示し、
前記第２の縁部を第２の場所から第３の場所へシフトさせるためのユーザ入力に応答して、
前記画像を、前記オブジェクトに対する第２の位置であって、前記第１の位置からオフセットする、第２の位置に表示し、
前記記録された位置に基づいて解剖学的領域のモデルを生成するために前記記録された位置がアクセス可能であるメモリにおいて第２の相対的位置を反映するために前記画像の前記記録された位置を更新する
ように構成されるシステム。
【請求項２】
前記第１および第２の縁部は、ドラッグおよびドロップ操作によってシフト可能である請求項１に記載のシステム。
【請求項３】
前記第２および第３の場所は、前記第１の場所の周りで互いから角度的にオフセットし、
前記第２の位置は、前記第１の場所の周りで前記第１の位置から回転してオフセットする請求項１に記載のシステム。
【請求項４】
前記第１の縁部を選択しシフトさせるためのユーザ入力に応答して、前記画像は、前記シフトされた第１の画像が前記シフトされた画像の前記第１の場所になるように前記オブジェクトに対してシフトされる請求項３に記載のシステム。
【請求項５】
前記第２の縁部をドラッグするためのユーザ入力、前記シャフトを伸張することおよび短縮することの一方に応答して、前記シャフトの長さは、特定の角度オフセットだけの前記画像の対応する回転について必要とされる前記第２の縁部の直線状位置オフセットを決定する請求項３に記載のシステム。
【請求項６】
前記画像は、第１の撮像モダリティによって取得される解剖学的領域の画像であり、前記オブジェクトは、第２の撮像モダリティによって取得される解剖学的領域の画像である請求項３に記載のシステム。
【請求項７】
前記第１の撮像モダリティは磁気共鳴、すなわちＭＲであり、前記第２の撮像モダリティはコンピュータ断層撮影、すなわちＣＴである請求項６に記載のシステム。
【請求項８】
前記画像および前記オブジェクトは、同じ撮像モダリティの両方の画像である請求項３に記載のシステム。
【請求項９】
前記解剖学的領域のモデルは、解剖学的要素に対する刺激リード線のレンダリングを含む請求項３に記載のシステム。
【請求項１０】
前記解剖学的領域は脳である請求項９に記載のシステム。
【請求項１１】
前記オブジェクトは、中央サジタル平面の描写である請求項３に記載のシステム。
【請求項１２】
画像整列データを提供するためのコンピュータ実装式ユーザインタフェース方法であって、
コンピュータプロセッサによって、画像を、記録されるオブジェクトに対する前記画像の第１の位置に表示すること、
前記プロセッサによって、前記画像の第１の場所に位置決めされた第１の縁部、ユーザシフト可能である第２の縁部、および前記第１の縁部と前記第２の縁部との間に延在するシャフトを含む画像位置決めコントロールを表示すること、ならびに、
前記第２の縁部を第２の場所から第３の場所へシフトさせるためのユーザ入力に応答して、
前記プロセッサによって、前記画像を、前記オブジェクトに対する第２の位置であって、前記第１の位置からオフセットする、第２の位置に表示すること、および、
前記プロセッサによって、前記記録された位置に基づいて解剖学的領域のモデルを生成するために前記記録された位置がアクセス可能であるメモリにおいて第２の相対的位置を反映するために前記画像の前記記録された位置を更新することを含む方法。
【請求項１３】
前記第１および第２の縁部は、ドラッグおよびドロップ操作によってシフト可能である請求項１２に記載の方法。
【請求項１４】
前記第２および第３の場所は、前記第１の場所の周りで互いから角度的にオフセットし、
前記第２の位置は、前記第１の場所の周りで前記第１の位置から回転してオフセットする請求項１２に記載の方法。
【請求項１５】
前記第１の縁部を選択しシフトさせるためのユーザ入力に応答して、前記シフトされた第１の画像が前記シフトされた画像の前記第１の場所になるように前記オブジェクトに対して前記画像をシフトさせることをさらに含む請求項１４に記載の方法。
【請求項１６】
前記第２の縁部をドラッグするためのユーザ入力、前記シャフトを伸張することおよび短縮することの一方に応答して、特定の角度オフセットだけの前記画像の対応する回転について必要とされる前記第２の縁部の直線状位置オフセットの程度を決定することをさらに含む請求項１４に記載の方法。
【請求項１７】
前記画像は、第１の撮像モダリティによって取得される解剖学的領域の画像であり、前記オブジェクトは、第２の撮像モダリティによって取得される解剖学的領域の画像である請求項１４に記載の方法。
【請求項１８】
前記第１の撮像モダリティは磁気共鳴、すなわちＭＲであり、前記第２の撮像モダリティはコンピュータ断層撮影、すなわちＣＴである請求項１７に記載の方法。
【請求項１９】
前記画像および前記オブジェクトは、同じ撮像モダリティの両方の画像である請求項１４に記載の方法。
【請求項２０】
前記解剖学的領域のモデルは、解剖学的要素に対する刺激リード線のレンダリングを含む請求項１４に記載の方法。
【請求項２１】
前記解剖学的領域は脳である請求項２０に記載の方法。
【請求項２２】
前記オブジェクトは、中央サジタル平面の描写である請求項１４に記載の方法。
【請求項２３】
画像整列データを提供するためのユーザインタフェースであって、
オブジェクトに対する第１の位置に表示される画像と、
前記画像の第１の場所に位置決めされた第１の縁部、第２の縁部、および前記第１の縁部と前記第２の縁部との間に延在するシャフトを含む画像位置決めコントロールとを備え、第２の縁部は、第２の場所から第３の場所にドラッグおよびドロップ操作によってユーザシフト可能であり、前記第２および第３の場所は、前記第１の場所の周りで互いから角度的にオフセットし、ユーザ相互作用的画像位置決めコントロールは、前記シフトに応答して、
前記オブジェクトに対する第２の位置であって、前記第１の位置から前記第１の場所の周りでオフセットする、第２の位置における前記画像の表示、および、
前記画像の記録される位置に基づいて解剖学的領域のモデルを生成するために前記記録された位置がアクセス可能であるメモリにおいて第２の相対的位置を反映するための前記画像の前記記録された位置の更新をもたらすユーザインタフェース。
【請求項２４】
プロセッサによって実行可能な命令であって、前記プロセッサによって実行されると、画像整列データを提供するためのユーザインタフェース方法を前記プロセッサに実施させる、命令を内部に記憶している非一時的なコンピュータ可読媒体であって、前記方法は、
画像を、記録されるオブジェクトに対する前記画像の第１の位置に表示すること、
前記画像の第１の場所に位置決めされた第１の縁部、ユーザシフト可能である第２の縁部、および前記第１の縁部と前記第２の縁部との間に延在するシャフトを含む画像位置決めコントロールを表示すること、ならびに、
前記第２の縁部を第２の場所から第３の場所へシフトさせるためのユーザ入力に応答して、
前記画像を、前記オブジェクトに対する第２の位置であって、前記第１の位置からオフセットする、第２の位置に表示すること、および、
前記記録された位置に基づいて解剖学的領域のモデルを生成するために前記記録された位置がアクセス可能であるメモリにおいて第２の相対的位置を反映するために前記画像の前記記録された位置を更新することを含む非一時的なコンピュータ可読媒体。
【請求項２５】
画像整列情報を提供するためのコンピュータ実装式ユーザインタフェース方法であって、
コンピュータプロセッサによって、３次元オブジェクトの第１の２次元平面のものである第１の位置の第１の画像を、第１の表示エリアに表示すること、
前記コンピュータプロセッサによって、前記３次元オブジェクトの第２の２次元平面であって、前記第１の表示エリアの所定の軸に沿って前記第１の２次元平面に直交する、第２の２次元平面のものである第２の画像を、第２の表示エリアに表示すること、
前記プロセッサによって、前記第１の画像の第１の場所に位置決めされた第１の縁部、ユーザシフト可能である第２の縁部、および前記第１の縁部と前記第２の縁部との間に延在するシャフトを含む画像位置決めコントロールを表示すること、ならびに、
前記第２の縁部を第２の場所から第３の場所へシフトさせるためのユーザ入力に応答して、ただし、前記第２および第３の場所は、前記第１の場所の周りで互いから角度的にオフセットする、
前記プロセッサによって、前記第１の画像を、前記第１の場所の周りで前記第１の位置から回転してオフセットする第２の位置に表示すること、
前記プロセッサによって、前記第２の画像を前記第２の表示エリアから除去すること、および、
前記プロセッサによって、前記３次元オブジェクトの第３の２次元平面のものであって、前記第１の表示エリアの前記所定の軸に沿って、前記回転した第１の画像の前記第１の２次元平面に直交する、第３の２次元平面である第３の画像を、第２の表示エリアに表示することを含む方法。
【請求項２６】
画像整列情報を提供するためのコンピュータ実装式ユーザインタフェース方法であって、
コンピュータプロセッサによって、第１の位置で、３次元オブジェクトの第１の２次元平面の第１の画像を、前記３次元オブジェクトの第１の２次元ビューに表示すること、
前記コンピュータプロセッサによって、前記３次元オブジェクトの第２の２次元平面の第２の画像を、前記３次元オブジェクトの第２の２次元ビューに表示すること、
前記プロセッサによって、前記第１の画像の第１の場所に位置決めされた第１の縁部、ユーザシフト可能である第２の縁部、および前記第１の縁部と前記第２の縁部との間に延在するシャフトを含む画像位置決めコントロールを表示すること、
前記第２の縁部を第２の場所から第３の場所へシフトさせるためのユーザ入力に応答して、ただし、前記第２および第３の場所は、前記第１の場所の周りで互いから角度的にオフセットする、
前記プロセッサによって、前記第１の画像を、前記第１の位置から前記第１の場所の周りで回転してオフセットする第２の位置に表示すること、
前記第２の２次元ビューを修正することを含む方法。
【請求項２７】
前記第２の２次元ビューは、前記第１の２次元ビューに直交する請求項２６に記載の方法。
【請求項２８】
オブジェクトの相対的位置を示すことおよび設定することの少なくとも一方についてのユーザインタフェースを提供するためのシステムであって、
コンピュータプロセッサを備え、前記コンピュータプロセッサは、
表示エリアにフラッシュライトオブジェクトを表示し、
前記フラッシュライトオブジェクトから予め規定された方法で延在する前記表示エリアの第１の領域に第１のオブジェクトの第１の部分を表示し、
前記フラッシュライトオブジェクトから前記予め規定された方法で延在しない前記表示エリアの１つまたは複数の第２の領域に第２のオブジェクトの第１の部分を表示するように構成されるシステム。
【請求項２９】
前記フラッシュライトオブジェクトは、前記第１の領域をシフトするようにユーザシフト可能であり、それにより、それぞれ、
前記第１のオブジェクトの第２の部分を視野に入れ、
前記第１のオブジェクトの前記第１の部分の少なくとも一部を視野から除去し、
前記第２のオブジェクトの第２の部分を視野に入れ、
前記第２のオブジェクトの前記第１の部分の少なくとも一部を視野から除去する請求項２８に記載のシステム。
【請求項３０】
（ａ）前記第１のオブジェクトおよび前記第２のオブジェクトの互いに対する位置、ならびに、前記表示エリアに表示される前記第１のオブジェクトおよび前記第２のオブジェクトの一方の部分は、前記表示エリア内の同じユーザ相互作用に応答して修正可能である請求項２９に記載のシステム。
【請求項３１】
前記相対的位置の修正可能性は、回転および並進である請求項３０に記載のシステム。
【請求項３２】
前記フラッシュライトオブジェクトのサイズは、ユーザ修正可能であり、前記サイズ修正は、前記第１の領域のサイズ、前記表示エリアに表示される前記第１のオブジェクトの量、および前記表示エリアに表示される前記第２のオブジェクトの量を相応して修正する請求項２９に記載のシステム。
【請求項３３】
前記フラッシュライトオブジェクトの対向する縁部から延在するグラフィカルな突出部は、前記フラッシュライトオブジェクトの中心に向かってユーザシフト可能であり、また、前記フラッシュライトオブジェクトの中心から離れてユーザシフト可能であり、それにより、それぞれ、前記フラッシュライトオブジェクトのサイズが減少し、また、前記フラッシュライトオブジェクトのサイズが増加する請求項３２に記載のシステム。
【請求項３４】
前記第１の領域は、前記フラッシュライトオブジェクトの縁部から延在する列である請求項２９に記載のシステム。
【請求項３５】
前記第１および第２のオブジェクトは、同じ解剖学的領域の異なる画像である請求項２９に記載のシステム。
【請求項３６】
前記異なる画像は、異なる撮像モダリティのものである請求項３５に記載のシステム。
【請求項３７】
前記画像の最初の画像は、磁気共鳴、すなわちＭＲ、コンピュータ断層撮影、すなわちＣＴ、拡散テンソル撮像、すなわちＤＴＩ、陽電子放射断層撮影、すなわちＰＥＴ、およびＸ線透視撮影を含む撮像タイプの群から選択される１つのタイプのものであり、前記画像の２番目の画像は、撮像タイプの群から選択される別のタイプのものである請求項３５に記載のシステム。
【請求項３８】
前記画像の最初の画像は、第１のタイプの磁気共鳴画像、すなわちＭＲ画像であり、前記画像の２番目の画像は、第２のタイプのＭＲ画像である請求項３５に記載のシステム。
【請求項３９】
オブジェクトの相対的位置を示すことおよび設定することの少なくとも一方についてのユーザインタフェースを提供するためのコンピュータ実装式方法であって
表示エリアにフラッシュライトオブジェクトを表示すること、
前記フラッシュライトオブジェクトから予め規定された方法で延在する前記表示エリアの第１の領域に第１のオブジェクトの第１の部分を表示すること、および、
前記フラッシュライトオブジェクトから前記予め規定された方法で延在しない前記表示エリアの１つまたは複数の第２の領域に第２のオブジェクトの第１の部分を表示することを含む方法。
【請求項４０】
前記フラッシュライトオブジェクトは、前記第１の領域をシフトするようにユーザシフト可能であり、それにより、それぞれ、
前記第１のオブジェクトの第２の部分を視野に入れ、
前記第１のオブジェクトの前記第１の部分の少なくとも一部を視野から除去し、
前記第２のオブジェクトの第２の部分を視野に入れ、
前記第２のオブジェクトの前記第１の部分の少なくとも一部を視野から除去する請求項３９に記載の方法。
【請求項４１】
（ａ）前記第１のオブジェクトおよび前記第２のオブジェクトの互いに対する位置、ならびに、前記表示エリアに表示される前記第１のオブジェクトおよび前記第２のオブジェクトの一方の部分は、前記表示エリア内の同じユーザ相互作用に応答して修正可能である請求項４０に記載の方法。
【請求項４２】
前記相対的位置の修正可能性は、回転および並進である請求項４１に記載の方法。
【請求項４３】
前記フラッシュライトオブジェクトのサイズは、ユーザ修正可能であり、前記サイズ修正は、前記第１の領域のサイズ、前記表示エリアに表示される前記第１のオブジェクトの量、および前記表示エリアに表示される前記第２のオブジェクトの量を相応して修正する請求項４０に記載の方法。
【請求項４４】
前記フラッシュライトオブジェクトの対向する縁部から延在するグラフィカルな突出部は、前記フラッシュライトオブジェクトの中心に向かってユーザシフト可能であり、また、前記フラッシュライトオブジェクトの中心から離れてユーザシフト可能であり、それにより、それぞれ、前記フラッシュライトオブジェクトのサイズが減少し、また、前記フラッシュライトオブジェクトのサイズが増加する請求項４３に記載の方法。
【請求項４５】
前記第１の領域は、前記フラッシュライトオブジェクトの縁部から延在する列である請求項４０に記載の方法。
【請求項４６】
前記第１および第２のオブジェクトは、同じ解剖学的領域の異なる画像である請求項４０に記載の方法。
【請求項４７】
前記異なる画像は、異なる撮像モダリティのものである請求項４６に記載の方法。
【請求項４８】
前記画像の最初の画像は、磁気共鳴、すなわちＭＲ、コンピュータ断層撮影、すなわちＣＴ、拡散テンソル撮像、すなわちＤＴＩ、陽電子放射断層撮影、すなわちＰＥＴ、およびＸ線透視撮影を含む撮像タイプの群から選択される１つのタイプのものであり、前記画像の２番目の画像は、撮像タイプの群から選択される別のタイプのものである請求項４６に記載の方法。
【請求項４９】
前記画像の最初の画像は、第１のタイプの磁気共鳴画像、すなわちＭＲ画像であり、前記画像の２番目の画像は、第２のタイプのＭＲ画像である請求項４６に記載の方法。
【請求項５０】
プロセッサによって実行可能な命令であって、前記プロセッサによって実行されると、オブジェクトの相対的位置を示すことおよび設定することの少なくとも一方についてのユーザインタフェースを提供するための方法を前記プロセッサに実施させる、命令を内部に記憶している非一時的なコンピュータ可読媒体であって、前記方法は、
表示エリアにフラッシュライトオブジェクトを表示すること、
前記フラッシュライトオブジェクトから予め規定された方法で延在する前記表示エリアの第１の領域に第１のオブジェクトの第１の部分を表示すること、および、
前記フラッシュライトオブジェクトから前記予め規定された方法で延在しない前記表示エリアの１つまたは複数の第２の領域に第２のオブジェクトの第１の部分を表示することを含むコンピュータ可読媒体。
【請求項５１】
前記フラッシュライトオブジェクトは、前記第１の領域をシフトするようにユーザシフト可能であり、それにより、それぞれ、
前記第１のオブジェクトの第２の部分を視野に入れ、
前記第１のオブジェクトの前記第１の部分の少なくとも一部を視野から除去し、
前記第２のオブジェクトの第２の部分を視野に入れ、
前記第２のオブジェクトの前記第１の部分の少なくとも一部を視野から除去する請求項５０に記載のコンピュータ可読媒体。
【請求項５２】
オブジェクトの相対的位置を示すことおよび設定することの少なくとも一方のためのユーザインタフェースであって、
表示エリア内のフラッシュライトオブジェクトと、
前記フラッシュライトオブジェクトから予め規定された方法で延在する前記表示エリアの第１の領域内の第１のオブジェクトの第１の部分と、
前記フラッシュライトオブジェクトから前記予め規定された方法で延在しない前記表示エリアの１つまたは複数の第２の領域内の第２のオブジェクトの第１の部分とを備え、
前記フラッシュライトオブジェクトは、前記第１の領域をシフトするようにユーザシフト可能であり、それにより、それぞれ、
前記第１のオブジェクトの第２の部分を視野に入れ、
前記第１のオブジェクトの前記第１の部分の少なくとも一部を視野から除去し、
前記第２のオブジェクトの第２の部分を視野に入れ、
前記第２のオブジェクトの前記第１の部分の少なくとも一部を視野から除去するユーザインタフェース。
【請求項５３】
予め規定されたランドマークに領域を関連付けるためのシステムであって、少なくとも１つのコンピュータプロセッサを備え、前記少なくとも１つのコンピュータプロセッサは、
３次元オブジェクトの第１の２次元平面を表示し、
前記３次元オブジェクトの第２の２次元平面を表示し、
前記プロセッサによってランドマークに関連付けられるとともにユーザ選択可能でかつユーザシフト可能な第１のマーカを表示し、
前記第１の２次元平面の領域への前記第１のマーカのユーザシフトに応答して、
前記ランドマークに関連付けられる第２のマーカを、前記第１の２次元平面の前記領域に対応する前記第２の２次元平面の領域内に表示し、
前記領域のそれぞれに関する前記ランドマークの関連付けを記録するように構成されるシステム。
【請求項５４】
前記第２の２次元平面は、前記第１の２次元平面に実質的に直交し、
前記第２の２次元平面の前記領域は、前記第１の２次元平面の前記領域の実質的に直交したビューを提供する請求項５３に記載のシステム。
【請求項５５】
前記第１の２次元平面に対する前記第２の２次元平面の直交性は、前記第１の２次元平面が表示される第１の表示エリアの予め規定された点間に延在する線に沿い、
前記第１の２次元平面は、前記第１の表示エリア内でユーザ回転可能であり、それにより、前記第１の２次元平面に沿って前記線が延在する場所を修正し、
前記第１の表示エリア内での前記第１の２次元平面の回転に応答して、前記第２の２次元平面が表示された第２の表示エリアは、前記回転した前記第１の２次元平面に直交する異なる２次元平面を前記線に沿って表示するように修正される請求項５４に記載のシステム。
【請求項５６】
前記３次元オブジェクトは、解剖学的なものであり、前記第１および第２の２次元平面は、この解剖学的オブジェクトの２次元画像である請求項５４に記載のシステム。
【請求項５７】
前記３次元オブジェクトは、刺激のために標的にされた領域であり、前記領域の前記第１および第２の次元平面は、２次元描写である請求項５４に記載のシステム。
【請求項５８】
前記３次元オブジェクトは脳である請求項５６に記載のシステム。
【請求項５９】
前記ランドマークは、前交連および後交連の一方である請求項５８に記載のシステム。
【請求項６０】
前記ランドマークは前交連であり、第３のマーカが表示され、前記第３のマーカは、ユーザ選択可能でかつユーザシフト可能であり、前記プロセッサによって後交連に関連付けられる請求項５８に記載のシステム。
【請求項６１】
前記第１および第３のマーカは、異なる色のものである、および、
前記第１のマーカは、前記前交連に関連付けられているとしてテクスチャ的に識別され、前記第２のマーカは、前記後交連に関連付けられているとしてテキスチャ的に識別される、の少なくとも一方である請求項６０に記載のシステム。
【請求項６２】
前記第２の２次元平面内に対応する領域を持たない前記第１の２次元平面の第２の領域への前記第１のマーカの後続のユーザシフトが起こり、この第２のユーザシフトに応答して、前記第２のマーカは、表示から除去される請求項５４に記載のシステム。
【請求項６３】
前記第１の２次元平面が表示される第１の表示エリアにおいて、前記３次元オブジェクトの２次元平面は、前記第１の２次元平面と、前記第１の２次元平面に平行である他の２次元平面との間でスクロール可能であり、そのスクロール操作に応答して、前記少なくとも１つのプロセッサは、前記第１の表示エリア内のそのスクロールされた２次元平面と前記第１の２次元平面との距離が減少するにつれて、前記第１のマーカの輝度が徐々にフェージングするように前記第１のマーカの輝度を調整する請求項５４に記載のシステム。
【請求項６４】
前記第１の２次元平面から所定の距離にある２次元平面への前記第１の表示エリアにおけるスクロール操作に応答して、前記マーカは、前記第１の表示エリアにおける表示から除去される請求項６３に記載のシステム。
【請求項６５】
ユーザ入力されるズーム命令に応答して、前記第１のマーカ内にある前記第１の２次元平面の少なくとも部分は拡大される請求項５４に記載のシステム。
【請求項６６】
拡大される前記第１の２次元平面の前記少なくとも部分は、区画された拡大窓内で表示され、前記拡大窓は、前記拡大窓から突出する第１のユーザ選択可能コントロールを有し、前記第１のユーザ選択可能コントロールの選択に応答して、拡大率が増加し、前記拡大窓は、前記拡大窓から突出する第２のユーザ選択可能コントロールを有し、前記第２のユーザ選択可能コントロールの選択に応答して、拡大率が減少する請求項６５に記載のシステム。
【請求項６７】
前記第１の２次元平面から、前記第１の２次元平面に平行である別の２次元平面までスクロールするためのスクロール操作命令であって、前記第１の２次元平面の前記少なくとも部分が拡大される間に受信される、スクロール操作命令に応答して、前記少なくとも１つのプロセッサは、前記ランドマークの記録された前記関連付けを、前記第１の２次元平面の前記領域ではなく、そのスクロールされた２次元平面内の領域に関してなされるように修正する請求項６５に記載のシステム。
【請求項６８】
前記スクロール操作命令に応答して、前記第２のマーカは、前記第２の２次元平面の別の領域に自動的にシフトされる請求項６７に記載のシステム。
【請求項６９】
前記第１の２次元平面から、前記第１の２次元平面に平行である別の２次元平面までスクロールするためのスクロール操作命令に応答して、前記少なくとも１つのプロセッサは、前記ランドマークの記録された前記関連付けを、前記第１の２次元平面の前記領域ではなく、そのスクロールされた２次元平面内の領域に関してなされるように修正する請求項５４に記載のシステム。
【請求項７０】
前記スクロール操作命令に応答して、前記第２のマーカは、前記第２の２次元平面の別の領域に自動的にシフトされる請求項６９に記載のシステム。
【請求項７１】
グラフィカルなアンドゥコントロールが表示され、
前記グラフィカルなアンドゥコントロールの選択に応答して、前記少なくとも１つのプロセッサは、前記ランドマークの関連付けの記録の最後の修正をアンドゥし、前記マーカの最後にシフトしたマーカの最後のシフトをアンドゥするように構成される請求項５４に記載のシステム。
【請求項７２】
予め規定されたランドマークに領域を関連付けるためのコンピュータ実施式方法であって、
コンピュータプロセッサによって、３次元オブジェクトの第１の２次元平面を表示すること、
コンピュータによって、前記３次元オブジェクトの第２の２次元平面を表示すること、
前記プロセッサによってランドマークに関連付けられるとともにユーザ選択可能でかつユーザシフト可能な第１のマーカを、前記プロセッサによって表示すること、ならびに、
前記第１の２次元平面の領域への前記第１のマーカのユーザシフトに応答して、
前記ランドマークに関連付けられる第２のマーカを、前記第１の２次元平面の前記領域に対応する前記第２の２次元平面の領域内に表示すること、および、
前記領域のそれぞれに関する前記ランドマークの関連付けを記録することを含む方法。
【請求項７３】
前記第２の２次元平面は、前記第１の２次元平面に実質的に直交し、
前記第２の２次元平面の前記領域は、前記第１の２次元平面の前記領域の実質的に直交したビューを提供する請求項７２に記載の方法。
【請求項７４】
前記第１の２次元平面に対する前記第２の２次元平面の直交性は、前記第１の２次元平面が表示される第１の表示エリアの予め規定された点間に延在する線に沿い、
前記第１の２次元平面は、前記第１の表示エリア内でユーザ回転可能であり、それにより、前記第１の２次元平面に沿って前記線が延在する場所を修正し、
方法は、前記第１の表示エリア内での前記第１の２次元平面の回転に応答して、前記回転した前記第１の２次元平面に直交する異なる２次元平面を前記線に沿って表示するように、前記第２の２次元平面が表示された第２の表示エリアを修正することをさらに含む請求項７３に記載の方法。
【請求項７５】
前記３次元オブジェクトは、解剖学的なものであり、前記第１および第２の２次元平面は、この解剖学的オブジェクトの２次元画像である請求項７３に記載の方法。
【請求項７６】
前記３次元オブジェクトは脳である請求項７５に記載の方法。
【請求項７７】
前記ランドマークは、前交連および後交連の一方である請求項７６に記載の方法。
【請求項７８】
前記ランドマークは前交連であり、方法は、第３のマーカを表示することをさらに含み、前記第３のマーカは、ユーザ選択可能でかつユーザシフト可能であり、前記プロセッサによって後交連に関連付けられる請求項７６に記載の方法。
【請求項７９】
前記第１および第３のマーカは、異なる色のものである、および、
前記第１のマーカは、前記前交連に関連付けられているとしてテキスチャ的に識別され、前記第２のマーカは、前記後交連に関連付けられているとしてテキスチャ的に識別される、の少なくとも一方である請求項７８に記載の方法。
【請求項８０】
前記第２の２次元平面内に対応する領域を持たない前記第１の２次元平面の第２の領域への前記第１のマーカの後続のユーザシフトが起こり、方法は、この第２のユーザシフトに応答して、表示から前記第２のマーカを除去することをさらに含む請求項７３に記載の方法。
【請求項８１】
前記第１の２次元平面が表示される第１の表示エリアにおいて、前記３次元オブジェクトの２次元平面は、前記第１の２次元平面と、前記第１の２次元平面に平行である他の２次元平面との間でスクロール可能であり、そのスクロール操作に応答して、前記プロセッサは、前記第１の表示エリア内のそのスクロールされた２次元平面と前記第１の２次元平面との距離が減少するにつれて、前記第１のマーカの輝度が徐々にフェージングするように前記第１のマーカの輝度を調整する請求項７３に記載の方法。
【請求項８２】
前記第１の２次元平面から所定の距離にある２次元平面への前記第１の表示エリアにおけるスクロール操作に応答して、前記マーカは、前記第１の表示エリアにおける表示から除去される請求項８１に記載の方法。
【請求項８３】
ユーザ入力されるズーム命令に応答して、前記第１のマーカ内にある前記第１の２次元平面の少なくとも部分を拡大することをさらに含む請求項７３に記載の方法。
【請求項８４】
拡大される前記第１の２次元平面の前記少なくとも部分は、区画された拡大窓内で表示され、前記拡大窓は、前記拡大窓から突出する第１のユーザ選択可能コントロールを有し、前記第１のユーザ選択可能コントロールの選択に応答して、拡大率が増加し、前記拡大窓は、前記拡大窓から突出する第２のユーザ選択可能コントロールを有し、前記第２のユーザ選択可能コントロールの選択に応答して、拡大率が減少する請求項８３に記載の方法。
【請求項８５】
前記第１の２次元平面から、前記第１の２次元平面に平行である別の２次元平面までスクロールするためのスクロール操作命令であって、前記第１の２次元平面の前記少なくとも部分が拡大される間に受信される、スクロール操作命令に応答して、前記プロセッサは、前記ランドマークの記録された前記関連付けを、前記第１の２次元平面の前記領域ではなく、そのスクロールされた２次元平面内の領域に関してなされるように修正する請求項８３に記載の方法。
【請求項８６】
前記スクロール操作命令に応答して、前記第２のマーカは、前記第２の２次元平面の別の領域に自動的にシフトされる請求項８５に記載の方法。
【請求項８７】
前記第１の２次元平面から、前記第１の２次元平面に平行である別の２次元平面までスクロールするためのスクロール操作命令に応答して、前記プロセッサは、前記ランドマークの記録された前記関連付けを、前記第１の２次元平面の前記領域ではなく、そのスクロールされた２次元平面内の領域に関してなされるように修正する請求項７３に記載の方法。
【請求項８８】
前記スクロール操作命令に応答して、前記第２のマーカは、前記第２の２次元平面の別の領域に自動的にシフトされる請求項８７に記載の方法。
【請求項８９】
グラフィカルなアンドゥコントロールを表示することをさらに含み、前記グラフィカルなアンドゥコントロールの選択に応答して、前記プロセッサは、前記ランドマークの関連付けの記録の最後の修正をアンドゥし、前記マーカの最後にシフトしたマーカの最後のシフトをアンドゥするように構成される請求項７３に記載の方法。
【請求項９０】
プロセッサによって実行可能な命令であって、前記プロセッサによって実行されると、予め規定されたランドマークに領域を関連付けるための方法を前記プロセッサに実施させる、命令を内部に記憶している非一時的なコンピュータ可読媒体であって、前記方法は、
３次元オブジェクトの第１の２次元平面を表示すること、
前記３次元オブジェクトの第２の２次元平面を表示すること、
前記プロセッサによってランドマークに関連付けられるとともにユーザ選択可能でかつユーザシフト可能な第１のマーカを表示すること、ならびに、
前記第１の２次元平面の領域への前記第１のマーカのユーザシフトに応答して、
前記ランドマークに関連付けられる第２のマーカを、前記第１の２次元平面の前記領域に対応する前記第２の２次元平面の領域内に表示すること、および、
前記領域のそれぞれに関する前記ランドマークの関連付けを記録することを含む非一時的なコンピュータ可読媒体。
【請求項９１】
予め規定されたランドマークに領域を関連付けるためのユーザインタフェースであって、
第１の表示エリア内の３次元オブジェクトの第１の２次元平面と、
第２の表示エリア内の前記３次元オブジェクトの第２の２次元平面と、
コンピュータプロセッサによってランドマークに関連付けられる、表示されるユーザ選択可能でかつユーザシフト可能な第１のマーカとを備え、
前記第１のマーカは、前記第１の２次元平面の領域への前記第１のマーカのユーザシフトに応答して、
前記ランドマークに関連付けられる第２のマーカが、前記第１の２次元平面の前記領域に対応する前記第２の２次元平面の領域内に表示され、
前記ランドマークの関連付けが、前記領域のそれぞれに関して前記プロセッサによって記録される
ように構成されるユーザインタフェース。
【手続補正２】
【補正対象書類名】明細書
【補正対象項目名】００８５
【補正方法】変更
【補正の内容】
【００８５】
アキシャルペイン１０２における画像の回転は、画像のほとんどの前方点および後方点ならびにほとんどの左方点および右方点の座標を再規定する。コロナルペイン１０４は、前端と後端との間に延在する線に直交し、かつ、左端と右端との間に延在する線に平行な画像スライスを表示するため、したがって、アキシャルペイン１０２における画像の回転に応答して、システムは、相応して、新しく規定された前端と後端との間に延在する新しく規定された線に直交するスライスのものであるようにコロナルペイン１０４の画像を変更する。
【手続補正３】
【補正対象書類名】明細書
【補正対象項目名】００８６
【補正方法】変更
【補正の内容】
【００８６】
同様に、サジタルペイン１０６は、前端と後端との間に延在する線に直交し、かつ、左端と右端との間に延在する線に平行な画像スライスを表示するため、したがって、アキシャルペイン１０２における画像の回転に応答して、システムは、相応して、新しく規定された前端と後端との間に延在する新しく規定された線に平行なスライスのものであるようにサジタルペイン１０６の画像を変更する。
【手続補正４】
【補正対象書類名】明細書
【補正対象項目名】０１２６
【補正方法】変更
【補正の内容】
【０１２６】
代替の例示的な実施形態では、システムは、より精密なアトラス位置合わせを生成する、本発明者等が発見した変換方法を実施することができる。方法は、患者母集団ＭＲの剛体位置合わせを実施し、それに続いてアフィン位置合わせを行うことを含む。アフィン位置合わせは、タイプｘ→Ａｘ＋ｂの修正を含むことができる。ここで、Ａｘは線形変換であり、＋ｂは並進を指し、かつ／または、並進、回転、スケーリング、および／またはせん断変換を含むことができる。アフィン位置合わせは、たとえば、非線形性および異方性が上述したようなものである場合、患者母集団ＭＲの非線形および／または異方性修正を含むことができる。剛体位置合わせは、より複雑なアフィン位置合わせを実施するためのよりよい出発点を提供するために最初に実施することができ、アフィン位置合わせだけの実施に比べてより速くかつより正確な位置合わせを可能にする。剛体位置合わせに続くアフィン位置合わせの実施は、通常、剛体位置合わせだけが実施される場合に比べてより正確な患者アトラスを提供することを本発明者等は発見した。
【手続補正５】
【補正対象書類名】明細書
【補正対象項目名】０１２７
【補正方法】変更
【補正の内容】
【０１２７】
代替の例示的な実施形態では、システムは、さらにより精密なアトラス位置合わせを生成する、本発明者等が発見した変換方法を実施することができる。その方法は、剛体位置合わせを実施し、上述したように、それに続いてアフィン位置合わせを実施し、それに続いてＢスプライン位置合わせを実施することを含む。代替的に、Ｂスプライン位置合わせは、アフィン位置合わせの前に実施することができる。Ｂスプライン位置合わせは、たとえば、非線形性および異方性が上述したようなものである場合、患者母集団ＭＲの非線形および／または異方性修正を含むことができる。アフィン位置合わせは、患者母集団画像および目下の患者画像に全体として作用することができ、一方、Ｂスプライン位置合わせは、画像のより小さなサブボリュームに作用することができる。剛体位置合わせは、より複雑なアフィンおよびＢスプライン位置合わせを実施するためのよりよい出発点を提供するために最初に実施することができ、アフィンおよび／またはＢスプライン位置合わせだけの実施に比べてより速くかつより正確な位置合わせを可能にする。さらに、オリジナルの患者母集団画像に関して直接実施されるＢスプライン位置合わせアルゴリズムは、類似性が低過ぎる画像を分解できない場合があるため、失敗することになる可能性（ｃｈａｎｃｅ）が存在する。